(57)【要約】【課題】照明器具の光源部の前方に配置されるレンズ板であって、壁面等の被照面の明るさについて均一化を図りうるものを提供すること。【解決手段】レンズ板１Ａは、その光入射面２が光源部の光軸方向に対して垂直になるように光源部の前方に配置される。光入射面２は、光軸方向視において互いに同一の形状及び大きさを有する複数の凹レンズ単位５が複数列に千鳥状に且つ平面充填状に配列したレンズ領域４を備えている。光入射面２内における凹レンズ単位５の列方向を凹レンズ単位５のＸ軸方向とするとき、凹レンズ単位５は、透過光が凹レンズ単位５のＸ軸方向の両側に広がるように入射光を拡散させる凹面状に形成されている。さらに、光軸方向視において凹レンズ単位５のＸ軸方向両端部の幅がＸ軸方向中間部の幅よりも広い。【選択図】図４
2019083105.tif 000002
【特許請求の範囲】
【請求項１】
照明器具の光源部の前方に配置される照明器具用レンズ板であって、
照明器具の光源部からの光が入射する光入射面を備えるとともに、前記光入射面が前記光源部の光軸方向に対して垂直になるように前記光源部の前方に配置されるものであり、
前記光入射面は、前記光軸方向視において互いに同一の形状及び大きさを有する複数の凹レンズ単位が複数列に千鳥状に且つ平面充填状に配列したレンズ領域を備えており、
前記光入射面内における前記凹レンズ単位の列方向を凹レンズ単位のＸ軸方向、前記光入射面内における前記Ｘ軸方向に直交する方向を凹レンズ単位のＹ軸方向、及び、前記光軸方向視において前記凹レンズ単位のＹ軸方向の長さを凹レンズ単位の幅とするとき、
前記凹レンズ単位は、透過光が前記凹レンズ単位のＸ軸方向の両側に広がるように入射光を拡散させる凹面状に形成されており、且つ、前記光軸方向視において前記凹レンズ単位のＸ軸方向両端部の幅がＸ軸方向中間部の幅よりも広い、照明器具用レンズ板。
【請求項２】
前記凹レンズ単位は、透過光が前記凹レンズ単位のＸ軸方向の両側だけに広がるように入射光を拡散させる第１凹面部と、透過光が前記凹レンズ単位のＸ軸方向の両側とＹ軸方向の一方側とに広がるように入射光を拡散させる第２凹面部と、を含んでいる請求項１記載の照明器具用レンズ板。
【請求項３】
さらに、被照面を被照面に対して斜め方向に照明する照明器具の光源部の前方に、前記凹レンズ単位のＸ軸方向が前記被照面に対して平行になるように且つ前記凹レンズ単位のＹ軸方向の前記一方側が前記被照面における前記光源部近接側になるように配置されるものである請求項２記載の照明器具用レンズ板。
【請求項４】
前記第１凹面部は、前記凹レンズ単位におけるＹ軸方向の他方側に設けられ、
前記第２凹面部は、前記凹レンズ単位におけるＹ軸方向の前記一方側に設けられている請求項２又は３記載の照明器具用レンズ板。
【請求項５】
前記第１凹面部は凹円柱面で形成され、
前記第２凹面部は凹球面で形成され、
前記第１凹面部と前記第２凹面部が互いに滑らかに連接されている請求項２〜４のいずれかに記載の照明器具用レンズ板。
【請求項６】
前記光軸方向視において前記凹レンズ単位の幅が前記凹レンズ単位のＸ軸方向中間部からＸ軸方向両端部に進むにつれて略拡大している請求項１〜５のいずれかに記載の照明器具用レンズ板。
【請求項７】
前記レンズ領域が前記光入射面に全面的に設けられている請求項１〜６のいずれかに記載の照明器具用レンズ板。
【請求項８】
前記レンズ領域が前記光入射面に部分的に設けられている請求項１〜６のいずれかに記載の照明器具用レンズ板。
【請求項９】
光源部を備えた照明器具であって、
光源部の前方に配置されるレンズ板として請求項１〜８のいずれかに記載のレンズ板を備えている照明器具。
【発明の詳細な説明】
【技術分野】
【０００１】
本発明は、照明器具（例：スポットライト、ダウンライト）の光源部の前方に配置されるレンズ板及び照明器具に関する。
【背景技術】
【０００２】
被照面として例えば鉛直な壁面を照明する照明器具として、スポットライト、ダウンライト（例：ユニバーサルダウンライト）等がある。このような照明器具で壁面を照明する場合、一般に照明器具は天井等の高位置に設置されて壁面を上側から壁面に対して斜め下方向に照明する。
【０００３】
特開２００６−２４５２１号公報（特許文献１）及び特開２００８−９８０６８号公報（特許文献２）は、このような照明器具の光源部の前方に配置されるレンズ板（プリズム板を含む。）を開示している。
【先行技術文献】
【特許文献】
【０００４】
【特許文献１】特開２００６−２４５２１号公報
【特許文献２】特開２００８−９８０６８号公報
【発明の概要】
【発明が解決しようとする課題】
【０００５】
而して、照明器具で壁面等の被照面を照明するとき、照明の演出上、明るさがなるべく均一になるように被照面を照明する方がよい場合がある。
【０００６】
そこで本発明は、照明器具の光源部の前方に配置されるレンズ板であって壁面等の被照面の明るさについて均一化を図りうるものを提供すること、及び、壁面等の被照面の明るさについて均一化を図りうる照明器具を提供することを目的とする。
【課題を解決するための手段】
【０００７】
本発明は以下の手段を提供する。
【０００８】
［１］  照明器具の光源部の前方に配置される照明器具用レンズ板であって、
照明器具の光源部からの光が入射する光入射面を備えるとともに、前記光入射面が前記光源部の光軸方向に対して垂直になるように前記光源部の前方に配置されるものであり、
前記光入射面は、前記光軸方向視において互いに同一の形状及び大きさを有する複数の凹レンズ単位が複数列に千鳥状に且つ平面充填状に配列したレンズ領域を備えており、
前記光入射面内における前記凹レンズ単位の列方向を凹レンズ単位のＸ軸方向、前記光入射面内における前記Ｘ軸方向に直交する方向を凹レンズ単位のＹ軸方向、及び、前記光軸方向視において前記凹レンズ単位のＹ軸方向の長さを凹レンズ単位の幅とするとき、
前記凹レンズ単位は、透過光が前記凹レンズ単位のＸ軸方向の両側に広がるように入射光を拡散させる凹面状に形成されており、且つ、前記光軸方向視において前記凹レンズ単位のＸ軸方向両端部の幅がＸ軸方向中間部の幅よりも広い、照明器具用レンズ板。
【０００９】
［２］  前記凹レンズ単位は、透過光が前記凹レンズ単位のＸ軸方向の両側だけに広がるように入射光を拡散させる第１凹面部と、透過光が前記凹レンズ単位のＸ軸方向の両側とＹ軸方向の一方側とに広がるように入射光を拡散させる第２凹面部と、を含んでいる前項１記載の照明器具用レンズ板。
【００１０】
［３］  さらに、被照面を被照面に対して斜め方向に照明する照明器具の光源部の前方に、前記凹レンズ単位のＸ軸方向が前記被照面に対して平行になるように且つ前記凹レンズ単位のＹ軸方向の前記一方側が前記被照面における前記光源部近接側になるように配置されるものである前項２記載の照明器具用レンズ板。
【００１１】
［４］  前記第１凹面部は、前記凹レンズ単位におけるＹ軸方向の他方側に設けられ、
前記第２凹面部は、前記凹レンズ単位におけるＹ軸方向の前記一方側に設けられている前項２又は３記載の照明器具用レンズ板。
【００１２】
［５］  前記第１凹面部は凹円柱面で形成され、
前記第２凹面部は凹球面で形成され、
前記第１凹面部と前記第２凹面部が互いに滑らかに連接されている前項２〜４のいずれかに記載の照明器具用レンズ板。
【００１３】
［６］  前記光軸方向視において前記凹レンズ単位の幅が前記凹レンズ単位のＸ軸方向中間部からＸ軸方向両端部に進むにつれて略拡大している前項１〜５のいずれかに記載の照明器具用レンズ板。
【００１４】
［７］  前記レンズ領域が前記光入射面に全面的に設けられている前項１〜６のいずれかに記載の照明器具用レンズ板。
【００１５】
［８］  前記レンズ領域が前記光入射面に部分的に設けられている前項１〜６のいずれかに記載の照明器具用レンズ板。
【００１６】
［９］  光源部を備えた照明器具であって、
光源部の前方に配置されるレンズ板として前項１〜８のいずれかに記載のレンズ板を備えている照明器具。
【発明の効果】
【００１７】
本発明は以下の効果を奏する。
【００１８】
前項［１］のレンズ板では、レンズ板の光入射面は、光軸方向視において互いに同一の形状及び大きさを有する複数の凹レンズ単位が平面充填状に配列したレンズ領域を備えているので、光源部からレンズ板の光入射面のレンズ領域に入射する入射光は必ずどこかの凹レンズ単位を透過するし、レンズ単位の各部分に入射する入射光の単位面積当たりの光量の全凹レンズ単位についての総量は略等しい。さらに、凹レンズ単位は、透過光が凹レンズ単位のＸ軸方向の両側に広がるように入射光を拡散させる凹面状に形成されており、且つ、光軸方向視において凹レンズ単位のＸ軸方向両端部の幅がＸ軸方向中間部の幅よりも広いので、凹レンズ単位のＸ軸方向の両側に広がる透過光の光量を増やすことができる。これにより、被照面の明るさについて均一化を図ることができる。
【００１９】
前項［２］では、凹レンズ単位は、透過光が凹レンズ単位のＸ軸方向の両側だけに広がるように入射光を拡散させる第１凹面部と、透過光が凹レンズ単位のＸ軸方向の両側とＹ軸方向の一方側とに広がるように入射光を拡散させる第２凹面部と、を含んでいるので、凹レンズ単位の第２凹面部を透過した透過光は、凹レンズ単位のＸ軸方向の両側だけではなく凹レンズ単位のＹ軸方向の一方側にも広がる。
【００２０】
したがって、照明器具が例えば被照面を被照面に対して斜め方向に照明するものである場合には、レンズ板を、凹レンズ単位のＸ軸方向が被照面に対して平行になるように且つ凹レンズ単位のＹ軸方向の一方側が被照面における光源部近接側になるように光源部の前方に配置することにより、被照面における光源部近接側の明るさが減少して光源部遠隔側の明るさに近づく。これにより、被照面の明るさについて均一化を図りうる領域を被照面における光源部近接側へ拡大することができる。
【００２１】
特に、照明器具が被照面としての鉛直な壁面を壁面に対して斜め方向に照明するものであって、レンズ板のレンズ領域が光入射面に全面的に設けられている場合（前項［７］の場合）には、明るさのムラが少ないウォールウォッシュ照明を実現することができる。
【００２２】
前記［３］では、前項［２］の効果を確実に奏し得る。
【００２３】
前項［４］及び［５］では、前項［２］及び［３］の効果を確実に奏し得る。
【００２４】
前項［６］では、被照面の明るさについて確実に均一化を図ることができる。
【００２５】
前項［７］では、レンズ領域がレンズ板の光入射面に全面的に設けられているので、被照面の明るさについて全面的に均一化を図ることができる。
【００２６】
前項［８］では、被照面の明るさについて部分的に均一化を図ることができる。
【００２７】
前項［９］の照明器具では、前項［１］〜［８］のいずれかの効果と同じ効果を奏し得る。
【図面の簡単な説明】
【００２８】
【図１】図１は、本発明の第１実施形態に係る照明器具用レンズ板を照明器具の光源部の光軸方向から見た図（平面図）である。
【図２】図２は、図１中のＡ−Ａ線切断部端面図である。
【図３】図３は、図１中のＢ−Ｂ線切断部端面図である。
【図４】図４は、同レンズ板の光入射面のレンズ領域の拡大斜視図である。
【図５】図５は、図１中のＣ部分の拡大図である。
【図６】図６は、図５中のＤ１−Ｄ１線切断部端面図である。
【図７】図７は、図５中のＤ２−Ｄ２線切断部端面図である。
【図８】図８は、図５中のＥ１−Ｅ１線切断部端面図である。
【図９】図９は、図５中のＥ２−Ｅ２線切断部端面図である。
【図１０】図１０は、同レンズ板の使用状態を説明する図である。
【図１１】図１１は、同レンズ板を用いた場合のスポットライトの壁面照度分布図の一例である。
【図１２】図１２は、同レンズ板を用いない場合のスポットライトの壁面照度分布図の一例である。
【図１３】図１３は、本発明の第２実施形態に係る照明器具用レンズ板を照明器具の光源部の光軸方向から見た図（平面図）である。
【図１４】図１４は、図１３中のＡ−Ａ線切断部端面図である。
【図１５】図１５は、図レンズ板の使用状態を説明する図である。
【図１６】図１６は、同レンズ板を用いた場合のスポットライトの壁面照度分布図の一例である。
【発明を実施するための形態】
【００２９】
本発明の幾つかの実施形態について図面を参照して以下に説明する。
【００３０】
図１〜３に示すように、本発明の第１実施形態に係る照明器具用レンズ板１Ａは、詳述すると光学レンズ板であって、無色透明なプラスチック製であり、その形状は略円板状である。
【００３１】
このレンズ板１Ａが適用される照明器具は、図１０に示すように例えばスポットライト１１である。このスポットライト１１は、被照面としての鉛直な壁面３１を上側から壁面３１に対して斜め下方向に照明（照射）するものであり、壁面３１に対して高位置（例：天井３２）に設置されている。同図中の符号「３３」は床である。
【００３２】
スポットライト１１は、光源本体（例：ＬＥＤ光源本体）等を有する光源部１２を搭載している。図１０中の一点鎖線Ｐは、スポットライト（照明器具）１１の光源部１２の光軸を示しており、光源部１２からの光は光軸Ｐ方向に出射される。同図中の符号「１３」は光源部１２の反射鏡である。
【００３３】
レンズ板１Ａは、図１〜３に示すように、その厚さ方向の両側の表面のうち一方の表面をスポットライト１１の光源部１２からの光が入射する光入射面２とするものであり、他方の表面を光出射面３とするものである。
【００３４】
レンズ板１Ａの光入射面２及び光出射面３はそれぞれ円形状に形成されている。レンズ板１Ａの外周縁部には光入射面２を包囲する態様に光入射面２側に突出した円環状の鍔部１ａが一体形成されている。
【００３５】
そして、レンズ板１Ａは、その光入射面２がスポットライト１１の光源部１２の光軸Ｐ方向に対して垂直になるように且つ光源部１２の光軸Ｐが光入射面２の中心Ｏを通るように光源部１２の前方近傍にスポットライト１１に対して取外し可能に配置されている（図１０参照）。なお、スポットライト１１におけるレンズ板１Ａの前方近傍には直射グレアを低減するための短円筒状フード（図示せず）がレンズ板１Ａを包囲する態様に取り付けられる場合がある。
【００３６】
図２及び３に示すように、レンズ板１Ａの光出射面３は平滑状に形成されている。
【００３７】
図１に示すように、レンズ板１Ａの光入射面２には、単独で平面充填が可能な多角形状を有する多数の凹レンズ単位５で構成されたレンズ領域４が光入射面２の全面に亘って形成されている。
【００３８】
図１、４及び５に示すように、レンズ領域４では、多数の凹レンズ単位５は、光軸Ｐ方向視において互いに同一の形状及び大きさであって複数列に千鳥状に且つ平面充填状に配列している。凹レンズ単位５が平面充填状に配列していることから、レンズ領域４では、互いに隣接する凹レンズ単位５、５の間に空所（凹レンズ単位５がない領域）は実質的に存在していない。
【００３９】
レンズ板１Ａの光入射面２の直径は、スポットライト１１の光照射口の口径等に対応して設定されるものであって限定されるものではなく、例えば４０〜１１０ｍｍである。
【００４０】
ここで、レンズ板１Ａの構成を理解し易くするため、図１〜５に示すように、光入射面２内における凹レンズ単位５の列方向を凹レンズ単位５及びレンズ板１ＡのＸ軸方向、光入射面２内におけるＸ軸方向に直交する方向を凹レンズ単位５及びレンズ板１ＡのＹ軸方向、並びに、光入射面２に垂直な方向すなわち光源部１２の光軸Ｐ方向を凹レンズ単位５及びレンズ板１ＡのＺ軸方向と定義する。Ｘ軸方向とＹ軸方向とＺ軸方向は互いに垂直である。
【００４１】
また、光入射面２の中心Ｏを通り光入射面２内における凹レンズ単位５の列方向と平行な軸をレンズ板１ＡのＸ軸、光入射面２の中心Ｏを通り光入射面２内におけるＸ軸に直交する軸をレンズ板１ＡのＹ軸、及び、光入射面２の中心Ｏを通り光入射面２に垂直な軸をレンズ板１ＡのＺ軸と定義する。Ｘ軸とＹ軸とＺ軸は光入射面２の中心Ｏで互いに直交している。
【００４２】
また、これらの図に示すように、Ｘ軸方向の両側を「−Ｘ側」及び「＋Ｘ側」、並びに、Ｙ軸方向の両側を「−Ｙ側」及び「＋Ｙ側」と定義し、またＺ軸方向の両側のうち光入射方向に対して上流側及び下流側をそれぞれ「−Ｚ側」及び「＋Ｚ側」と定義する。
【００４３】
また、図５に示すように、光軸Ｐ方向視において凹レンズ単位５のＸ軸方向の長さを「凹レンズ単位５の長さＬ」、及び、光軸Ｐ方向視において凹レンズ単位５のＹ軸方向の長さを「凹レンズ単位５の幅Ｗ」と定義する。
【００４４】
図５に示すように、凹レンズ単位５の形状は光軸Ｐ方向視において略蝶リボン形状である。すなわち、光軸Ｐ方向視において凹レンズ単位５のＸ軸方向一端部の幅Ｗ２とＸ軸方向他端部の幅Ｗ２は互いに等しく、更に、Ｗ２は凹レンズ単位５のＸ軸方向中間部の幅Ｗ１よりも広くなっている（即ちＷ２＞Ｗ１）。また、Ｗ１は０よりも大きい（即ちＷ１＞０）。さらに、光軸Ｐ方向視において凹レンズ単位５の幅Ｗは凹レンズ単位５のＸ軸方向中間部からＸ軸方向両端部に進むにつれて略拡大している。
【００４５】
Ｗ１、Ｗ２及びＬの値は限定されるものではない。特にＷ１は０．７〜２．８ｍｍ、Ｗ２は１．５〜６．３ｍｍ、及び、Ｌは２．２〜９．１ｍｍに設定されることが望ましい。
【００４６】
さらに、凹レンズ単位５は、図６及び７に示すように、基本的には、凹レンズ単位５を透過した透過光２２が当該凹レンズ単位５のＸ軸方向の両側（即ち−Ｘ側及び＋Ｘ側）に広がるように光源部１２からの入射光２１を拡散させる凹面状に形成されている。
【００４７】
凹レンズ単位５の形状について詳述すると次のとおりである。
【００４８】
図４及び５に示すように、凹レンズ単位５は第１凹面部６と第２凹面部７で構成されている。第１凹面部６と第２凹面部７は互いに凹レンズ単位５のＹ軸方向に隣接しており、第２凹面部７は凹レンズ単位５におけるＹ軸方向の一方側（＋Ｙ側）に第１凹面部６は凹レンズ単位５におけるＹ軸方向の他方側（−Ｙ側）にそれぞれ配設されている。図４及び５中の二点鎖線８は、凹レンズ単位５における第１凹面部６と第２凹面部７との間の仮想境界線を示している。
【００４９】
図６、８及び９に示すように、凹レンズ単位５において、第１凹面部６は、透過光２２が凹レンズ単位５のＸ軸方向の両側（−Ｘ側及び＋Ｘ側）だけに広がるように入射光２１を拡散させる部分であって、凹円柱面（詳述すると凹円柱面の一部）で形成されている。第１凹面部６の中心軸線（即ち上述の凹円柱面の円柱軸線）は凹レンズ単位５のＹ軸方向と平行である。
【００５０】
図７〜９に示すように、凹レンズ単位５において、第２凹面部７は、透過光２２が凹レンズ単位５のＸ軸方向の両側（−Ｘ側及び＋Ｘ側）とＹ軸方向の一方側（＋Ｙ側）とだけに広がるように入射光２１を拡散させる部分であって、凹球面（詳述すると凹球面の一部）で形成されている。第２凹面部７の曲率半径（即ち上述の凹球面の曲率半径）は第１凹面部６の曲率半径と等しくなっている。
【００５１】
第１曲面部６と第２曲面部７の曲率半径は限定されるものではなく、特にＲ２．５〜７．５ｍｍであることが望ましい。
【００５２】
さらに、第１凹面部６と第２凹面部７は両者６、７の間に段差がないように互いに滑らかに連接されている。したがって、第２凹面部７の曲率中心は第１凹面部６の中心軸線上における第２凹面部７側の端位置に位置している。
【００５３】
そして、レンズ板１Ａは、凹レンズ単位５のＸ軸方向が壁面３１に対して平行になるように且つ凹レンズ単位５のＹ軸方向の一方側（＋Ｙ側）が壁面３１における光源部１２近接側に凹レンズ単位５のＹ軸方向の他方側（−Ｙ側）が壁面３１における光源部１２遠隔側にそれぞれなるように、光源部１２の前方近傍に配置されている。
【００５４】
ここで、上述したようにスポットライト１１は、壁面３１を上側から壁面３１に対して斜め下方向に照明するものであることから、レンズ板１Ａが上述のように光源部１２の前方近傍に配置された状態では、凹レンズ単位５のＸ軸方向は壁面３１に対して平行で且つ水平であり、凹レンズ単位５のＹ軸方向の一方側（＋Ｙ側）が壁面３１の上部側に凹レンズ単位５のＹ軸方向の他方側（−Ｙ側）が壁面３１の下部側にそれぞれ向いている。したがって、凹レンズ単位５のＸ軸方向は壁面３１の左右方向に向いている。
【００５５】
本第１実施形態のレンズ板１Ａには次の利点がある。
【００５６】
レンズ板１Ａの光入射面２は、光軸Ｐ方向視において互いに同一の形状及び大きさを有する多数の凹レンズ単位５が平面充填状に配列したレンズ領域４を備えているので、光源部１２からレンズ板１Ａの光入射面２のレンズ領域４に入射する入射光２１は必ずどこかの凹レンズ単位５を透過するし、レンズ単位５の各部分に入射する入射光２１の単位面積当たりの光量の全凹レンズ単位５についての総量は略等しい。さらに、凹レンズ単位５は、透過光２２が凹レンズ単位５のＸ軸方向の両側（−Ｘ側及び＋Ｘ側）に広がるように入射光２１を拡散させる凹面状に形成されており、且つ、光軸Ｐ方向視において凹レンズ単位５のＸ軸方向両端部の幅Ｗ２がＸ軸方向中間部の幅Ｗ１よりも広いので、凹レンズ単位５のＸ軸方向の両側（＋Ｘ側及び−Ｙ側）に広がる透過光の光量を増やすことができる。これにより、壁面３１の明るさ（照度）について均一化を図ること（即ち明るさのムラを少なくすること）ができる。
【００５７】
さらに、スポットライト１１が壁面３１を壁面３１に対して斜め方向に照明するものであって、凹レンズ単位５のＸ軸方向が壁面３１に対して平行になるように且つ凹レンズ単位５のＹ軸方向の一方側（＋Ｙ側）が壁面３１における光源部１２近接側になるようにレンズ板１Ａが光源部１２の前方近傍に配置される場合においては、図７〜９に示すように、凹レンズ単位５の第２凹面部７を透過した透過光２２は、凹レンズ単位５のＸ軸方向の両側（−Ｘ側及び＋Ｘ側）だけではなく凹レンズ単位５のＹ軸方向の一方側（＋Ｙ側）すなわち壁面３１における光源部１２近接側にも広がるので、壁面３１における光源部１２近接側の明るさ（照度）が減少して光源部１２遠隔側の明るさ（照度）に近づく。そのため、壁面３１の明るさについて均一化を図りうる領域を壁面３１における光源部１２近接側へ拡大することができる。
【００５８】
特に、図１０に示すように、スポットライト１１が壁面３１を上側から壁面３１に対して斜め下方向に照明するものである場合においては、凹レンズ単位５の第２凹面部７を透過した透過光２２は、凹レンズ単位５のＸ軸方向の両側（−Ｘ側及び＋Ｘ側）すなわち壁面３１の右部側及び左部側だけではなく凹レンズ単位５のＹ軸方向の一方側（＋Ｙ側）すなわち壁面３１の上部側にも広がるので、壁面３１の上部側の明るさ（照度）が減少して下部側の明るさ（照度）に近づく。そのため、壁面３１の明るさについて均一化を図りうる領域を壁面３１の上部側へ拡大することができる。
【００５９】
さらに、凹レンズ単位５の第１凹面部６は凹レンズ単位５におけるＹ軸方向の他方側（−Ｙ側）に設けられており、凹レンズ単位５の第２凹面部７は凹レンズ単位５におけるＹ軸方向の一方側（＋Ｙ側）に設けられていので、壁面３１の明るさについて確実に均一化を図ることができる。
【００６０】
さらに、第１凹面部６は凹円柱面で形成されており、第２凹面部７は凹球面で形成されており、第１凹面部６と第２凹面部７が互いに滑らかに連接されていることにより、壁面３１の明るさについて確実に均一化を図ることができる。
【００６１】
さらに、レンズ領域４がレンズ板１Ａの光入射面２にその全面に亘って形成されているので、明るさのムラが少ないウォールウォッシュ照明を実現することができる。
【００６２】
さらに、光軸Ｐ方向視において凹レンズ単位５の幅Ｗが凹レンズ単位５のＸ軸方向中間部からＸ軸方向両端部に進むにつれて略拡大しているので、壁面３１の明るさについて更に確実に均一化を図ることができる。
【００６３】
図１１は、本第１実施形態のレンズ板１Ａを用いた場合のスポットライト１１の壁面照度分布図の一例である。
【００６４】
また、図１２は、レンズ板１Ａを用いない場合のスポットライト１１の壁面照度分布図の一例である。
【００６５】
各分布図（後述の図１６も同じ）の測定条件は次のとおりである。
【００６６】
スポットライト１１の取付け位置は壁面３１から０．９ｍ離れた位置であり、スポットライト１１の光照射方向は鉛直下方向に対して壁面３１側に向けて３０°傾けた方向であり、スポットライト１１の色温度は温白色３５００Ｋであり、その演色性はＲａ８３である。
【００６７】
図１１の分布図を測定した場合では、レンズ板１Ａは、上述したように、レンズ板１Ａの光入射面２がスポットライト１１の光源部１２の光軸Ｐ方向に対して垂直になるように且つ光源部１２の光軸Ｐが光入射面２の中心Ｏを通るように、スポットライト１１の光源部１２の前方近傍に配置されており、さらに、レンズ板１Ａは、凹レンズ単位５のＸ軸方向が壁面３１に対して平行で且つ水平になるように、且つ、凹レンズ単位５のＹ軸方向の一方側（＋Ｙ側）が壁面３１の上部側になるように、光源部１２の前方近傍に配置されている。
【００６８】
図１１の分布図と図１２の分布図との対比により明らかなように、スポットライト１１の光源部１２の前方近傍にレンズ板１Ａを配置することにより、明るさのムラが少ないウォールウォッシュ照明を実現することができる。
【００６９】
図１３〜１６は、本発明の第２実施形態に係る照明器具用レンズ板１Ｂを説明する図である。これらの図において、上記第１実施形態のレンズ板１Ａの要素と同じ要素には当該レンズ板１Ａの要素に付された符号と同じ符号が付されている。以下、本第２実施形態について上記第１実施形態との相異点を中心に説明する。
【００７０】
本第２実施形態のレンズ板１Ｂでは、図１３及び１４に示すように、レンズ領域４はレンズ板１Ｂの光入射面２に部分的に設けられている。詳述すると、レンズ領域４は、図１３に示すように、スポットライト１１の光源部１２の光軸Ｐ方向視において、レンズ板１Ｂの光入射面２の中心Ｏから光入射面２におけるレンズ板１ＢのＹ軸方向の一方側（＋Ｙ側）の領域の少なくとも一部に、光入射面２の中心Ｏを通るＹ軸に対して線対称状に形成されている。レンズ領域４におけるレンズ板１ＢのＹ軸方向の一方側（＋Ｙ側）の周端４ａは、光入射面２におけるレンズ板１ＢのＹ軸方向の一方側（＋Ｙ側）の外周縁と一致しており、レンズ領域４におけるレンズ板１ＢのＹ軸方向の他方側（−Ｙ側）の周端４ｂは、光入射面２におけるレンズ板１ＢのＹ軸方向の一方側（＋Ｙ側）の外周縁と光入射面２の中心Ｏを通るＹ軸との交点Ｑを中心とする、光入射面２の中心Ｏを通る略円弧状に形成されている。
【００７１】
レンズ板１Ｂの光入射面２におけるレンズ領域４が形成されていない部分９（以下、この部分を「光入射面２の非レンズ領域９」という。）は平滑状に形成されている。
【００７２】
レンズ板１Ｂは、上記第１実施形態のレンズ板１Ａと同じく、凹レンズ単位５のＸ軸方向が壁面３１に対して平行になるように且つ凹レンズ単位５のＹ軸方向の一方側（＋Ｙ側）が壁面３１における光源部１２近接側に凹レンズ単位５のＹ軸方向の他方側（−Ｙ側）が壁面３１に対して光源部１２遠隔側にそれぞれなるように、光源部１２の前方近傍に配置されている。
【００７３】
ここで、上述したようにスポットライト１１は、図１５に示すように、壁面３１を上側から壁面３１に対して斜め下方向に照明するものであることから、上記第１実施形態のレンズ板１Ａと同じく、レンズ板１Ｂが上述のように光源部１２の前方近傍に配置された状態では、凹レンズ単位５のＸ軸方向は壁面３１に対して平行で且つ水平であり、凹レンズ単位５のＹ軸方向の一方側（＋Ｙ側）が壁面３１の上部側に凹レンズ単位５のＹ軸方向の他方側（−Ｙ側）が壁面３１の下部側にそれぞれ向いている。したがって、凹レンズ単位５のＸ軸方向は壁面３１の左右方向に向いている。
【００７４】
図１５に示すように、スポットライト１１の光源部１２の前方近傍にレンズ板１Ｂを上述のように配置してスポットライト１１で壁面３１を上側から壁面３１に対して斜め下方向に照明すると、スポットライト１１の光源部１２からの入射光のうち、レンズ板１Ａの光入射面２の非レンズ領域９を透過した透過光（図１５中の「Ｓ」の範囲の光）は、レンズ板１Ｂで拡散や収束されずに光軸Ｐ方向に進み、レンズ板１Ｂの光入射面２のレンズ領域４を透過した透過光（図１５中の「Ｔ」の範囲の光）は、上記第１実施形態のレンズ板１Ａのレンズ領域４を透過した透過光２２と同じように広がる。
【００７５】
図１６は、本第２実施形態のレンズ板１Ｂを用いた場合のスポットライト１１の壁面照度分布図の一例である。なお、レンズ板１Ｂを用いない場合のスポットライト１１の壁面照度分布図は、上述の図１２に示したものと同じである。
【００７６】
図１６の分布図と図１２の分布図との対比により明らかなように、スポットライト１１の光源部１２の前方近傍にレンズ板１Ｂを上述にように配置することにより、壁面３１の上部側及び下部側のうち上部側の明るさ（照度）について均一化が図られ、下部側は概ねスポット状である。したがって、壁面３１の下部側に置かれた商品等の照明対称物をスポット状に照明しながら壁面３１の上部側の明るさ感を確保することができる。
【００７７】
以上で本発明の幾つかの実施形態について説明したが、本発明は上記実施形態に限定されるものではなく、本発明の要旨を逸脱しない範囲で様々に変更可能である。
【００７８】
本発明では、照明器具はスポットライトであることに限定されるものではなく、その他に例えばダウンライト（ユニバーサルダウンライトを含む）であっても良い。ダウンライトは通常、天井に埋込み状態に設置される。
【００７９】
さらに、本発明では、照明器具は、鉛直な壁面を上側から壁面に対して斜め下方向に照明するものであることに限定されるものではなく、その他に例えば、壁面を下側から壁面に対して斜め上方向に照明するものであっても良いし、壁面を左側から壁面に対して斜め右方向に照明するものであっても良いし、壁面を右側から壁面に対して斜め左方向に照明するものであっても良い。
【００８０】
もとより、本発明では、被照面は壁面であることに限定されるものではない。
【産業上の利用可能性】
【００８１】
本発明は、照明器具（例：スポットライト、ダウンライト）用レンズ板及び照明器具に利用可能である。
【符号の説明】
【００８２】
１Ａ、１Ｂ：レンズ板
２：光入射面
３：光出射面
４：レンズ領域
５：凹レンズ単位
６：第１凹面部
７：第２凹面部
１１：スポットライト（照明器具）
１２：光源部
Ｐ：光源部の光軸
２１：入射光
２２：透過光
３１：壁面（被照面）
【図１】
2019083105.tif 000003
【図２】
2019083105.tif 000004
【図３】
2019083105.tif 000005
【図４】
2019083105.tif 000006
【図５】
2019083105.tif 000007
【図６】
2019083105.tif 000008
【図７】
2019083105.tif 000009
【図８】
2019083105.tif 000010
【図９】
2019083105.tif 000011
【図１０】
2019083105.tif 000012
【図１１】
2019083105.tif 000013
【図１２】
2019083105.tif 000014
【図１３】
2019083105.tif 000015
【図１４】
2019083105.tif 000016
【図１５】
2019083105.tif 000017
【図１６】
2019083105.tif 000018